(57)【要約】【課題】情報表示装置の状態に応じて第２の表示体への電力の供給を制御すること。【解決手段】情報表示装置は、電力が供給されなくても表示を維持する表示素子を有する第１の表示体と、電力が供給されたときに表示を維持する表示素子を有する第２の表示体と、電力を供給する電力供給手段と、前記情報表示装置の状態を検出する検出手段と、前記検出手段により検出された状態が第１の条件を満たすと前記電力供給手段からの電力を前記第２の表示体に供給し、第２の条件を満たすと前記電力供給手段から前記第２の表示体への電力の供給を停止するよう電力の供給を制御する制御手段とを有する。【選択図】図１
2009104036.tif 000002
【特許請求の範囲】
【請求項１】
情報表示装置であって、
記憶性表示素子を有する第１の表示体と、
電力が供給されたときに表示を維持する表示素子を有する第２の表示体と、
前記第１の表示体および前記第２の表示体に電力を供給する電力供給手段と、
前記情報表示装置の状態を検出する検出手段と、
前記検出手段により検出された状態が第１の条件を満たすと前記電力供給手段からの電力を前記第２の表示体に供給し、第２の条件を満たすと前記電力供給手段から前記第２の表示体への電力の供給を停止するよう電力の供給を制御する制御手段と
を有する情報表示装置。
【請求項２】
前記検出手段が、前記情報表示装置の状態として傾きを検出し、
前記第１の条件が、前記傾きがしきい値以上であることを条件とすることを特徴とする請求項１に記載の情報表示装置。
【請求項３】
前記第２の条件が、前記傾きが前記しきい値未満であることを条件とすることを特徴とする請求項２に記載の情報表示装置。
【請求項４】
前記検出手段が、前記情報表示装置の状態として温度を検出する検出手段であり、
前記第１の条件が、前記温度がしきい値以上であることを条件とすることを特徴とする請求項１に記載の情報表示装置。
【請求項５】
前記第２の条件が、前記温度がしきい値未満になったことを条件とすることを特徴とする請求項４に記載の情報表示装置。
【請求項６】
ユーザの操作に応じて信号を出力する操作子を有し、
前記検出手段が、前記情報表示装置の状態として前記操作子が操作されたことを検出し、
前記第１の条件が、前記操作子が操作されていない状態から前記操作子が操作された状態に変化したという条件である
ことを特徴とする請求項１に記載の情報表示装置。
【請求項７】
前記第２の条件が、前記操作子が操作された状態から前記操作子が操作されていない状態に変化したという条件である
ことを特徴とする請求項１に記載の情報表示装置。
【請求項８】
前記第２の条件が、前記第１の条件が満たされてからある待機時間が経過したことを条件とする
ことを特徴とする請求項２、４または６に記載の情報表示装置。
【請求項９】
前記電力供給手段が電池であり、
前記待機時間が、前記電池の残量に応じて決められる
ことを特徴とする請求項８に記載の情報表示装置。
【請求項１０】
前記第２の表示体に表示される情報の重要度を示す情報を記憶する重要度記憶手段を有し、
前記待機時間が、前記重要度に応じて決められる
ことを特徴とする請求項８に記載の情報表示装置。
【請求項１１】
前記第１の表示体に画像として表示される情報を記憶する情報記憶手段と、
前記情報記憶手段に記憶された情報に対応する属性を記憶する属性記憶手段と、
前記第１の表示体に表示される画像が描き替えられた場合、前記描き替えられた画像に対応する属性が前記属性記憶手段に記憶されているか判断する判断手段と
を有し、
前記第１の条件が、前記第１の表示体において画像の描き替えが行われ、かつ、前記描き替えられた画像に対応する属性が前記属性記憶手段に記憶されていると前記判断手段が判断したという条件である
ことを特徴とする請求項１に記載の情報表示装置。
【請求項１２】
記憶性表示素子を有する第１の表示体と、電力が供給されたときに表示を維持する表示素子を有する第２の表示体と、前記第１の表示体および前記第２の表示体に電力を供給する電力供給手段とを有する情報表示装置に、
前記情報表示装置の状態を検出するステップと、
前記検出された状態が第１の条件を満たすと前記電力供給手段からの電力を前記第２の表示体に供給し、第２の条件を満たすと前記電力供給手段から前記第２の表示体への電力の供給を停止するよう電力の供給を制御するステップと
を実行させるプログラム。
【発明の詳細な説明】
【技術分野】
【０００１】
本発明は、２つの表示体を有する情報表示装置において情報を表示する技術に関する。
【背景技術】
【０００２】
コレステリック液晶ディスプレイや電気泳動ディスプレイ（Electrophoretic Display、以下「ＥＰＤ」という）等、記憶性表示素子を有する表示体（以下、「記憶性表示体」という）は、表示を保持するのに電力を必要としないという特長を有している。しかし一般的に記憶性表示体には、表示の描き替えにかかる時間が長いという問題がある。このため、例えば、ユーザの入力に応じた画面を表示するユーザインターフェースにおいて、レスポンスが遅いという問題がある。このような問題を解決するため、記憶性表示体以外の表示体を用いたサブディスプレイを設けることが知られている（特許文献１）。
【０００３】
【特許文献１】特開２００４−１０２６６１号公報
【発明の開示】
【発明が解決しようとする課題】
【０００４】
特許文献１に開示されているようにサブディスプレイを設けた場合、サブディスプレイの表示を維持するには電力を供給する必要があった。すなわち、記憶性表示体の特長の一つである低消費電力という特性が損なわれてしまうという問題があった。
これに対し本発明は、サブディスプレイ（第２の表示体）を設けた場合でも消費電力の増加を抑制する技術、具体的には、情報表示装置の状態に応じて第２の表示体への電力の供給を制御する技術を提供する。
【課題を解決するための手段】
【０００５】
上述の課題を解決するため、本発明は、情報表示装置であって、記憶性表示素子を有する第１の表示体と、電力が供給されたときに表示を維持する表示素子を有する第２の表示体と、前記第１の表示体および前記第２の表示体に電力を供給する電力供給手段と、前記情報表示装置の状態を検出する検出手段と、前記検出手段により検出された状態が第１の条件を満たすと前記電力供給手段からの電力を前記第２の表示体に供給し、第２の条件を満たすと前記電力供給手段から前記第２の表示体への電力の供給を停止するよう電力の供給を制御する制御手段とを有する情報表示装置を提供する。
この情報表示装置によれば、情報表示装置の状態に応じて第２の表示体への電力の供給が制御される。
【０００６】
好ましい態様において、前記検出手段が、前記情報表示装置の状態として傾きを検出し、前記第１の条件が、前記傾きがしきい値以上であるという条件であってもよい。
この情報表示装置によれば、情報表示装置の傾きがしきい値以上となったときに第２の表示体への電力の供給が開始される。
【０００７】
別の好ましい態様において、前記第２の条件が、前記傾きが前記しきい値未満になったという条件であってもよい。
この情報表示装置によれば、情報表示装置の傾きがしきい値未満になったときに第２の表示体への電力の供給が停止される。
【０００８】
さらに別の好ましい態様において、前記検出手段が、前記情報表示装置の状態として温度を検出する検出手段であり、前記第１の条件が、前記温度がしきい値以上であるという条件であってもよい。
この情報表示装置によれば、情報表示装置の温度がしきい値以上となったときに第２の表示体への電力の供給が開始される。
【０００９】
さらに別の好ましい態様において、前記第２の条件が、前記温度がしきい値未満になったという条件であってもよい。
この情報表示装置によれば、情報表示装置の温度がしきい値未満になったときに第２の表示体への電力の供給が停止される。
【００１０】
さらに別の好ましい態様において、この情報表示装置は、ユーザの操作に応じて信号を出力する操作子を有し、前記検出手段が、前記情報表示装置の状態として前記操作子が操作されたことを検出し、前記第１の条件が、前記操作子が操作されていない状態から前記操作子が操作された状態に変化したという条件であってもよい。
この情報表示装置によれば、例えばボタンが押されたとき等に第２の表示体への電力の供給が開始される。
【００１１】
さらに別の好ましい態様において、前記第２の条件が、前記操作子が操作された状態から前記操作子が操作されていない状態に変化したという条件であってもよい。
この情報表示装置によれば、例えばボタンが押された状態から押されてない状態になったとき等に第２の表示体への電力の供給が停止される。
【００１２】
さらに別の好ましい態様において、前記第２の条件が、前記第１の条件が満たされてからある待機時間が経過したという条件であってもよい。
この情報表示装置によれば、第１の条件が満たされてから待機時間が経過したときに第２の表示体への電力の供給が停止される。
【００１３】
さらに別の好ましい態様において、前記電力供給手段が電池であり、前記待機時間が、前記電池の残量に応じて決められてもよい。
この情報表示装置によれば、電池の残量に応じて決められる待機時間が経過したときに第２の表示体への電力の供給が停止される。
【００１４】
さらに別の好ましい態様において、前記第２の表示体に表示される情報の重要度を示す情報を記憶する重要度記憶手段を有し、前記待機時間が、前記重要度に応じて決められてもよい。
この情報表示装置によれば、重要度に応じて決められる待機時間が経過したときに第２の表示体への電力の供給が停止される。
【００１５】
さらに別の好ましい態様において、この情報表示装置は、前記第１の表示体に画像として表示される情報を記憶する情報記憶手段と、前記情報記憶手段に記憶された情報に対応する属性を記憶する属性記憶手段と、前記第１の表示体に表示される画像が描き替えられた場合、前記描き替えられた画像に対応する属性が前記属性記憶手段に記憶されているか判断する判断手段とを有し、前記第１の条件が、前記第１の表示体において画像の描き替えが行われ、かつ、前記描き替えられた画像に対応する属性が前記属性記憶手段に記憶されていると前記判断手段が判断したという条件であってもよい。
この情報表示装置によれば、第１の表示体に表示される画像に対応する属性が記憶されているときに第２の表示体への電力の供給が開始される。
【００１６】
また、本発明は、記憶性表示素子を有する第１の表示体と、電力が供給されたときに表示を維持する表示素子を有する第２の表示体と、前記第１の表示体および前記第２の表示体に電力を供給する電力供給手段とを有する情報表示装置に、前記情報表示装置の状態を検出するステップと、前記検出された状態が第１の条件を満たすと前記電力供給手段からの電力を前記第２の表示体に供給し、第２の条件を満たすと前記電力供給手段から前記第２の表示体への電力の供給を停止するよう電力の供給を制御するステップとを実行させるプログラムを提供する。
このプログラムによれば、情報表示装置の状態に応じて第２の表示体への電力の供給が制御される。
【発明を実施するための最良の形態】
【００１７】
１．第１実施形態
１−１．構成
図１は、第１実施形態に係る情報表示装置１の機能構成を示す図である。メイン表示部１１（第１の表示体）は、記憶性表示素子を有する。ここで「記憶性」とは電力を供給しなくてもある時間は表示を維持できる特性をいう。メイン画像記憶部１２は画像データを記憶する。メイン表示部１１は、メイン画像記憶部１２に記憶されたデータに従って画像を表示する。以下、メイン表示部１１に表示される画像を「メイン画像」という。サブ表示部１３は、記憶性表示素子以外の表示素子を有する。サブ画像記憶部１４は画像データを記憶する。サブ表示部１３は、サブ画像記憶部１４に記憶されたデータに従って画像を表示する。以下、サブ表示部１３に表示される画像を「サブ画像」という。サブ表示部１３はメイン画像に関する副次的な情報の表示に用いられるので、表示面の面積はメイン表示部１１よりも小さい。
【００１８】
電力供給部１５は、メイン表示部１１およびサブ表示部１３に電力を供給する。状態検出部１６は、情報表示装置１の状態を検出する。制御部１７は、状態検出部１６が検出した状態に応じて、電力供給部１５を制御する。より具体的には、制御部１７は、検出された状態が開始条件（第１の条件）を満たすと電力供給部１５からサブ表示部１３への電力供給が開始され、検出された状態が停止条件（第２の条件）を満たすと電力供給部１５からサブ表示部１３への電力供給が停止されるように、電力供給部１５を制御する。
【００１９】
図２は、情報表示装置１のハードウェア構成を示す図である。ＣＰＵ（Central Processing Unit）１０１は、情報表示装置１の構成要素を制御する制御装置である。ＲＯＭ（Read Only Memory）１０２は、情報表示装置１の起動に必要なプログラムやデータを記憶する不揮発性の記憶装置である。ＲＡＭ（Random Access Memory）１０３は、ＣＰＵ１０１がプログラムを実行する際のワークエリアとして機能する記憶装置である。ＶＲＡＭ（Video Random Access Memory）１０４は、メイン画像およびサブ画像を示す画像データを記憶する記憶装置である。ＶＲＡＭ１０４は、メイン画像およびサブ画像の記憶領域を有しており、メイン画像およびサブ画像はそれぞれ対応する記憶領域に記憶される。以下、ＶＲＡＭ１０４においてメイン画像に対応する記憶領域を「メイン記憶領域」といい、サブ画像に対応する記憶領域を「サブ記憶領域」という。Ｉ／Ｏ（Input/Output）１０５は、データや信号の入出力を管理するインターフェースである。ＵＩボタン群１０６は、ユーザの操作に応じた信号を出力する装置、例えば、ボタン（描き替えボタンやページ送りボタン、決定ボタンなど）・キーパッド・タッチパネル・ペンデバイスなどの入力装置である。ＵＩボタン群１０６はＩ／Ｏ１０５に接続されており、ＵＩボタン群１０６はから出力された信号はＩ／Ｏ１０５を介してＣＰＵ１０１に入力される。
【００２０】
補助記憶装置１１５は、メイン画像となるコンテンツ・サブ画像となる属性データ・その他のデータを記憶する不揮発性の記憶装置、例えばハードディスクドライブやフラッシュメモリである。「コンテンツ」とは、メイン表示体１０７に画像として表示される情報、例えば文書である。具体的に、補助記憶装置１１５は、あるコンテンツについて、ある単位、例えばページ毎にそのページに対応する属性、例えばコメントを記憶している。このように補助記憶装置１１５は、少なくとも１単位の情報を含むコンテンツと、そのコンテンツに含まれる情報のうちある単位に対応する属性を記憶している。コンテンツの単位は、例えば、ページ・見開きページ・ページよりも小さい形式的な単位（例えばカラム）・ページとは独立した意味上の集合（例えば段落）などである。属性は、例えば、コメント・作成日・作成者・タイトル・ファイルサイズなどである。
【００２１】
メイン表示体１０７は、記憶性表示素子を有する表示体、例えばコレステリック液晶ディスプレイやＥＰＤである。メイン表示制御部１０８は、メイン表示体１０７の描画制御を行う信号を出力する装置である。以下、必要に応じてメイン表示体１０７とメイン表示制御部１０８をあわせて「メインディスプレイ」という。サブ表示体１０９は、記憶性表示素子以外の表示素子を有する表示体、例えば超ねじれネマチック液晶ディスプレイ（Super Twisted Nematic Liquid Crystal Display、ＳＴＮ−ＬＣＤ）である。サブ表示体１０９の表示描き替え速度は、メイン表示体１０７よりも速い。サブ表示制御部１１０は、サブ表示体１０９の描画制御を行う信号を出力する装置である。以下、必要に応じてサブ表示体１０９とサブ表示制御部１１０をあわせて「サブディスプレイ」という。電源オン・オフ回路１１１は、メイン表示制御部１０８およびサブ表示制御部１１０への電力の供給を行ったり停止したりする回路である。以下、ある構成要素に電力を供給することを「電源をオンする」と、電力の供給を停止することを「電源をオフする」という。電源制御部１１２は、情報表示装置１の電源管理を行う装置である。具体的には、電源制御部１１２は、電源オン・オフ回路１１１を制御してメイン表示制御部１０８およびサブ表示制御部１１０の電源をオンまたはオフする。また、電源制御部１１２は、電池１１３の残量を監視する。電池１１３は、メイン表示制御部１０８・サブ表示制御部１１０・ＣＰＵ１０１・ＲＡＭ１０３など、情報表示装置１の構成要素に電力を供給する。バス１１４は、構成要素間での信号の伝送に用いられる伝送路である。
【００２２】
ＲＯＭ１０２は、以下で説明する処理を行う制御プログラムを記憶している。ＣＰＵ１０１がこの制御プログラムを実行することにより、図１に示される機能が情報表示装置１に実装される。
【００２３】
図３は、情報表示装置１の外観を示す図である。この例で情報表示装置１は、いわゆる電子ペーパや電子ブックである。メインディスプレイには、メイン画像、この例では「○○○○のお知らせ」というタイトルを有する文書を示す画像が表示されている。サブディスプレイには、メイン画像に関する情報、この例では「標記の件について８／２０までに返信をお願いします。」というコメントが表示されている。また、この例でＵＩボタン群１０６は、サブディスプレイの電源のオン・オフを指示するのに用いられるボタンＢを有している。本実施形態においては、情報表示装置１の状態としてボタンＢが押されているか押されていないかということが検出される。
【００２４】
１−２．動作
図４は、情報表示装置１の動作を示すフローチャートである。図４に示されるフローは、例えばページ送りボタンが押下されたことを契機として開始される。以下で説明する処理は基本的にＣＰＵ１０１の制御下で行われる。
【００２５】
ステップＳ１００において、電源オン・オフ回路１１１は、メインディスプレイの電源をオンする。ステップＳ１１０において、電源オン・オフ回路１１１は、サブディスプレイの電源をオンし、その後にサブディスプレイの電源をオフする。ステップＳ１１０の処理の詳細は後述する。
【００２６】
ステップＳ１２０において、ＣＰＵ１０１は、補助記憶装置１１５からコンテンツのデータ、特に、表示の対象となるページのデータをメイン画像のデータとして読み出す。ＣＰＵ１０１は、読み出したデータを、ＶＲＡＭ１０４のメイン記憶領域に記憶させる。ステップＳ１３０において、メイン表示体１０７は、メイン画像を表示する。詳細には、メイン表示制御部１０８は、ＶＲＡＭ１０４に記憶されたデータを示す信号をメイン表示体１０７に出力する。メイン表示体１０７は、メイン表示制御部１０８の制御によりメイン画像を表示する。
【００２７】
ステップＳ１４０において、電源オン・オフ回路１１１は、メインディスプレイの電源をオフする。詳細には次のとおりである。ＣＰＵ１０１はメイン画像の表示が完了してから経過した時間を計測している。表示が完了してから所定の時間、例えば２０秒が経過すると、ＣＰＵ１０１はメインディスプレイの電源をオフするよう電源制御部１１２に命令する。電源制御部１１２は、ＣＰＵ１０１からの命令を受けるとメインディスプレイの電源をオフするよう電源オン・オフ回路１１１を制御する。
【００２８】
図５は、図４のステップＳ１１０における、サブディスプレイの電源をオンおよびオフする処理の詳細を示すフローチャートである。本実施形態においては、開始条件として「ボタンＢが押されていない状態から押された状態に変化した」という条件が用いられ、停止条件として「ボタンＢが押された状態から押されていない状態に変化した」という条件が用いられる。すなわち、ボタンＢが押されている間はサブディスプレイの電源がオンされ、ボタンＢが押されていないときはサブディスプレイの電源がオフされる。
【００２９】
ステップＳ１１１において、ＣＰＵ１０１は、開始条件が満たされたか判断する。開始条件が満たされた場合（Ｓ１１１：ＹＥＳ）、すなわち、ボタンＢが押されてない状態から押された状態に変化した場合、ＣＰＵ１０１は処理をステップＳ１１２に移行する。開始条件が満たされていない場合（Ｓ１１１：ＮＯ）、すなわち、ボタンＢが押されてない場合、ＣＰＵ１０１はステップＳ１１１の処理を繰り返す。
【００３０】
ステップＳ１１２において、電源オン・オフ回路１１１は、サブディスプレイの電源をオンする。ステップＳ１１３において、ＣＰＵ１０１は、補助記憶装置１１５からメイン画像に対応するコメントのデータをサブ画像のデータとして読み出す。ＣＰＵ１０１は、読み出したデータを、ＶＲＡＭ１０４のサブ記憶領域に記憶させる。ステップＳ１１４において、サブ表示体１０９はサブ画像、ここではコメントの文字を表示する。
【００３１】
ステップＳ１１５において、ＣＰＵ１０１は、停止条件が満たされたか判断する。停止条件が満たされた場合（Ｓ１１５：ＹＥＳ）、すなわち、ボタンＢが押された状態から押されていない状態に変化した場合、ＣＰＵ１０１は処理をステップＳ１１６に移行する。停止条件が満たされていない場合（Ｓ１１５：ＮＯ）、すなわち、ボタンＢが押されたままである場合、ＣＰＵ１０１はステップＳ１１４−Ｓ１１５の処理を繰り返す。
【００３２】
ステップＳ１１６において、電源オン・オフ回路１１１は、サブディスプレイの電源をオフする。
【００３３】
以上で説明したように本実施形態によれば、サブディスプレイの電源は、ボタンＢの押下状態に応じて制御される。すなわち、サブディスプレイには必要なときだけ電力が供給されるので、このような構成を有しない場合と比較して消費電力の増加が抑制される。
【００３４】
２．第２実施形態
続いて、本発明の第２実施形態について説明する。以下、第１実施形態と共通する事項についてはその説明を省略する。また、第１実施形態と共通の要素には共通の参照符号が用いられる。本実施形態においては、情報表示装置の状態として傾きが検出される。
【００３５】
図６は、第２実施形態に係る情報表示装置２のハードウェア構成を示す図である。傾きセンサ２０１は、情報表示装置２の傾きすなわち水平方向からの角度を測定し、測定した角度を示す信号を出力する装置である。なおＵＩボタン群１０６はボタンＢを有していない。
【００３６】
図７は、第２実施形態における開始条件と停止条件の概念を示す図である。第２実施形態においては、開始条件として「傾きがしきい値以上になった」という条件が用いられ、停止条件として「傾きがしきい値未満になった」という条件が用いられる。以下、図５を参照しつつ情報表示装置２の動作を説明する。
【００３７】
ステップＳ１１１において、ＣＰＵ１０１は、傾きセンサ２０１から傾きを取得する。また、ＲＯＭ１０２は、あらかじめ傾きのしきい値を記憶している。ＣＰＵ１０１は、取得した傾きとしきい値とを比較し、開始条件が満たされたか判断する。傾きがしきい値以上になったと判断された場合（Ｓ１１１：ＹＥＳ）、ＣＰＵ１０１は処理をステップＳ１１２に移行する。傾きがしきい値未満の状態のままであると判断された場合（Ｓ１１１：ＮＯ）、ＣＰＵ１０１はステップＳ１１１の処理を繰り返す。
【００３８】
ステップＳ１１５において、ＣＰＵ１０１は、傾きセンサ２０１から傾きを取得する。ＣＰＵ１０１は、取得した傾きとしきい値とを比較し、停止条件が満たされたか判断する。傾きがしきい値以上の状態からしきい値未満になったと判断された場合（Ｓ１１５：ＹＥＳ）、ＣＰＵ１０１は処理をステップＳ１１６に移行する。傾きがしきい値以上の状態のままであると判断された場合（Ｓ１１５：ＮＯ）、ＣＰＵ１０１はステップＳ１１４−Ｓ１１５の処理を繰り返す。
【００３９】
以上で説明したように本実施形態によれば、サブディスプレイの電源は、情報表示装置２の傾きに応じて制御される。情報表示装置２に表示された情報を読もうとするとき、ユーザは、水平方向に対する表示面の角度が大きくなるように情報表示装置２を手で持ち、読み終わると情報表示装置２をテーブルの上に置くことが考えられる（図７）。本実施形態によれば、ユーザがこのような動作を行った場合に、ユーザの意思に合わせてサブディスプレイの電源がオンまたはオフされる。。すなわち、サブディスプレイには必要なときだけ電力が供給されるので、このような構成を有しない場合と比較して消費電力の増加が抑制される。さらに第１実施形態のようにユーザが特段の操作を行う必要もないので、より利便性が向上する。
【００４０】
３．第３実施形態
続いて、本発明の第３実施形態について説明する。以下、第１実施形態と共通する事項についてはその説明を省略する。また、第１実施形態と共通の要素には共通の参照符号が用いられる。本実施形態においては、情報表示装置の状態として温度が検出される。
【００４１】
図８は、第３実施形態に係る情報表示装置３のハードウェア構成を示す図である。温度センサ３０１は、情報表示装置３の温度を測定し、測定した温度を示す信号を出力する装置である。なおＵＩボタン群１０６はボタンＢを有していない。
【００４２】
第３実施形態においては、開始条件として「情報表示装置の温度がしきい値以上になった」という条件が用いられ、停止条件として「情報表示装置の温度がしきい値未満になった」という条件が用いられる。以下、図５を参照しつつ情報表示装置３の動作を説明する。
【００４３】
ステップＳ１１１において、ＣＰＵ１０１は、温度センサ３０１から温度を取得する。また、ＲＯＭ１０２は、あらかじめ温度のしきい値を記憶している。ＣＰＵ１０１は、取得した温度としきい値とを比較し、開始条件が満たされたか判断する。温度がしきい値以上になったと判断された場合（Ｓ１１１：ＹＥＳ）、ＣＰＵ１０１は処理をステップＳ１１２に移行する。温度がしきい値未満の状態のままであると判断された場合（Ｓ１１１：ＮＯ）、ＣＰＵ１０１はステップＳ１１１の処理を繰り返す。
【００４４】
ステップＳ１１５において、ＣＰＵ１０１は、温度センサ３０１から温度を取得する。ＣＰＵ１０１は、取得した温度としきい値とを比較し、停止条件が満たされたか判断する。温度がしきい値以上の状態からしきい値未満になったと判断された場合（Ｓ１１５：ＹＥＳ）、ＣＰＵ１０１は処理をステップＳ１１６に移行する。温度がしきい値以上の状態のままであると判断された場合（Ｓ１１５：ＮＯ）、ＣＰＵ１０１はステップＳ１１４−Ｓ１１５の処理を繰り返す。
【００４５】
以上で説明したように本実施形態によれば、サブディスプレイの電源は、情報表示装置３の温度に応じて制御される。情報表示装置３に表示された情報を読もうとするとき、ユーザは、水平方向に対する表示面の角度が大きくなるように情報表示装置３を手で持ち、読み終わると情報表示装置３をテーブルの上に置くことが考えられる（図７）。このときユーザの手が触れている部分は、触れていない部分よりも温度が高くなると考えられる。温度センサ３０１をユーザの手が触れやすい位置の近傍に設けることにより、ユーザがこのような動作を行った場合に、ユーザの意思に合わせてサブディスプレイの電源がオンまたはオフされる。すなわち、サブディスプレイには必要なときだけ電力が供給されるので、このような構成を有しない場合と比較して消費電力の増加が抑制される。さらに第１実施形態のようにユーザが特段の操作を行う必要もないので、より利便性が向上する。
【００４６】
４．第４実施形態
続いて、本発明の第４実施形態について説明する。以下、第１実施形態と共通する事項についてはその説明を省略する。また、第１実施形態と共通の要素には共通の参照符号が用いられる。本実施形態においては、情報表示装置の状態として、画像の描き替えが行われたこと、また、画像の描き替えが行われてから経過した時間が検出される。
【００４７】
図９は、第４実施形態に係る情報表示装置４の機能構成を示す図である。記憶部４１（情報記憶手段・属性記憶手段・重要度記憶手段）は、コンテンツを記憶する。また記憶部４１は、あるコンテンツについて、ある単位、例えばページ毎にそのページに対応する属性を記憶する。判断部４２は、メインディスプレイにおいて画像の描き替えが行われた場合、描き替えられた画像に対応する属性が記憶部４１に記憶されているか判断する。制御部１７は、メインディスプレイにおいて画像の描き替えが行われ、かつ、描き替えられた画像に対応する属性が記憶部４１に記憶されていると判断部４２が判断したときに、サブ表示部１３への電力供給が開始されるように電力供給部１５を制御する。
【００４８】
図１０は、情報表示装置４のハードウェア構成を示す図である。タイマー４０１は、時間、特に、メインディスプレイの画像が描き替えられてから経過した時間を計測し、計測した時間を示す信号を出力する装置である。なおＵＩボタン群１０６はボタンＢを有していない。
【００４９】
第４実施形態においては、開始条件として「メインディスプレイにおいて画像の描き替えが行われ、かつ、描き替えられた画像に対応する属性が記憶されている」という条件が用いられ、停止条件として「サブディスプレイの電源をオンしてからあらかじめ決められた時間（以下「待機時間」という）が経過した」という条件が用いられる。以下、図５を参照しつつ情報表示装置３の動作を説明する。
【００５０】
ステップＳ１１１において、ＣＰＵ１０１は、描き替えられた画像、すなわち現在メインディスプレイに表示されている画像に対応する属性が補助記憶装置１１５に記憶されているか判断する。詳細には次のとおりである。補助記憶装置１１５は、複数ページからなる文書と、各ページに対応する属性としてコメントを記憶している。この例では、すべてのページにコメントが付与されているわけではなく、あるページにはコメントが付与されているが別のページにはコメントが付与されていない。補助記憶装置１１５は、文書の各ページについてコメントの有無を示すフラグを記憶している。メインディスプレイには１ページの画像が表示されるので、ＣＰＵ１０１は、表示しているページに対応するコメントが補助記憶装置１１５に記憶されているか判断する。表示しているページに対応するコメントがあると判断された場合（Ｓ１１１：ＹＥＳ）、ＣＰＵ１０１は処理をステップＳ１１２に移行する。表示しているページに対応するコメントが無いと判断された場合（Ｓ１１１：ＮＯ）、ＣＰＵ１０１はステップＳ１１１の処理を繰り返す。
【００５１】
ステップＳ１１２においてサブディスプレイの電源がオンされると、ＣＰＵ１０１は、サブディスプレイの電源がオンしてからの経過時間を計測するようタイマー４０１を制御する。
【００５２】
ステップＳ１１５において、ＣＰＵ１０１は、タイマー４０１から経過時間を取得する。ＲＯＭ１０２は、待機時間を示すデータをあらかじめ記憶している。ＣＰＵ１０１は、取得した経過時間と待機時間とを比較し、経過時間が待機時間を超えたか判断する。待機時間を超えたと判断された場合（Ｓ１１５：ＹＥＳ）、ＣＰＵ１０１は処理をステップＳ１１６に移行する。待機時間を超えていないと判断された場合（Ｓ１１５：ＮＯ）、ＣＰＵ１０１はステップＳ１１４−Ｓ１１５の処理を繰り返す。
【００５３】
以上で説明したように本実施形態によれば、サブディスプレイの電源は、表示しているページに対応するコメントの有無に応じて制御される。表示しているページに対応するコメントがあればサブディスプレイの電源はオンされるが、表示しているページに対応するコメントがなければサブディスプレイの電源はオンされない。サブディスプレイの電源はオンされてもあらかじめ決められた時間が経過すればオフされる。すなわち、サブディスプレイには必要なときだけ電力が供給されるので、このような構成を有しない場合と比較して消費電力の増加が抑制される。さらに第１実施形態のようにユーザが特段の操作を行う必要もないので、より利便性が向上する。
【００５４】
５．他の実施形態
本発明は上述の実施形態に限定されるものではなく、種々の変形実施が可能である。以下、変形例をいくつか説明する。以下において、実施形態と共通する要素について共通の参照符号が用いられる。また、以下の変形例のうち２つ以上のものが組み合わせて用いられてもよい。
【００５５】
５−１．変形例１
第４実施形態で説明した待機時間は、電池１１３の残量に応じて決められてもよい。この場合、電池１１３はある容量を有する二次電池である。電源制御部１１２は、電池１１３の残量、すなわち電池１１３がこれから供給できる電力を監視している。ＣＰＵ１０１は、電池１１３の残量に応じて、例えば残量が多いときには待機時間が長く、残量が少ないときには待機時間が短くなるように待機時間を決定する。
【００５６】
５−２．変形例２
第４実施形態で説明した待機時間は、サブディスプレイに表示されるコメントの重要度に応じて決められてもよい。この場合、補助記憶装置１１５は、コメントの各々についてその重要度を記憶している。ＣＰＵ１０１は、コメントの重要度に応じて、例えば重要度が高いときには待機時間が長く、重要度が低いときには待機時間が短くなるように待機時間を決定する。
【００５７】
５−３．変形例３
上述の各実施形態においては、特定の開始条件と特定の停止条件がセットで用いられる例について説明した。しかし、開始条件と停止条件との組み合わせは、実施形態で説明したものに限定されない。実施形態および変形例で説明される開始条件および停止条件の中から、任意のものが組み合わせて用いられてもよい。例えば、開始条件として「温度がしきい値を超えた」という条件が用いられ、停止条件として「待機時間が経過した」という条件が用いられてもよい。また、複数の条件を組み合わせたものが開始条件または停止条件として用いられてもよい。例えば、開始条件として「傾きおよび温度が両方ともしきい値を超えた」という条件が用いられてもよい。このような場合、情報表示装置は、開始条件および停止条件に関する情報（傾き・温度・ボタンの押下等）の取得に必要なハードウェア構成を有する。
【００５８】
５−４．変形例４
第４実施形態において、メインディスプレイに表示される画像の描き替えを行う前に、その画像（ページ）に対応するコメントがあるか無いかＣＰＵ１０１が判断し、対応するコメントがあると判断された場合にはその旨を示すアイコンなどの画像をメイン画像の一部に加えて表示してもよい。
【００５９】
５−５．変形例５
図４において、メインディスプレイに関する処理とサブディスプレイに関する処理は並列で行われてもよい。図４のフローによればサブディスプレイの電源がオンおよびオフ（ステップＳ１１０）された後でコンテンツの読み出し（ステップＳ１２０）が行われるが、コンテンツの読み出しはサブディスプレイの電源オン・オフの処理の完了を待たずに行われてもよい。また、図５のフローによれば、開始条件が満たされない場合（Ｓ１１１：ＮＯ）には開始条件が満たされるまでＣＰＵ１０１は待機するが、開始条件が満たされない場合にはサブディスプレイの電源のオンおよびオフは行わず、すなわち電源をオフしたまま、図５のフローを終了してもよい。
【００６０】
５−６．変形例６
情報表示装置１−４のハードウェア構成は図２、６、８および１０に示されるものに限定されない。図１および９に示される機能を実現できるものであれば、どのようなハードウェア構成でもよい。例えば、上述の実施形態ではメイン画像記憶部１２およびサブ画像記憶部１４に相当する機能をＶＲＡＭ１０４が有していたが、これらの機能はそれぞれ異なる記憶装置により実装されてもよい。他の要素についても同様である。また、電力供給部１５の具体例は二次電池に限定されない。一次電池・二次電池・燃料電池・その他の化学電池、または太陽電池・熱電池・その他の物理電池が用いられてもよい。
【００６１】
５−７．変形例７
第１実施形態において、サブディスプレイの電源のオン・オフの指示に用いられる操作子はボタンに限定されない。ダイヤル・スイッチ・タッチセンサなどどのような操作子が用いられてもよい。
【００６２】
５−８．変形例８
情報表示装置１−４が記憶および実行するプログラムは、磁気テープ、磁気ディスク、フレキシブルディスク、光記録媒体、光磁気記録媒体、ＣＤ（Compact Disk）、ＤＶＤ（Digital Versatile Disk）、フラッシュＲＯＭなどの記録媒体に記録した状態で提供されてもよい。
【図面の簡単な説明】
【００６３】
【図１】第１実施形態に係る情報表示装置１の機能構成を示す図である。
【図２】情報表示装置１のハードウェア構成を示す図である。
【図３】情報表示装置１の外観を示す図である。
【図４】情報表示装置１の動作を示すフローチャートである。
【図５】図４のステップＳ１１０の詳細を示すフローチャートである。
【図６】第２実施形態に係る情報表示装置２のハードウェア構成を示す図である。
【図７】第２実施形態における開始条件と停止条件の概念を示す図である。
【図８】第３実施形態に係る情報表示装置３のハードウェア構成を示す図である。
【図９】第４実施形態に係る情報表示装置４の機能構成を示す図である。
【図１０】第４実施形態に係る情報表示装置４のハードウェア構成を示す図である。
【符号の説明】
【００６４】
１…情報表示装置、２…情報表示装置、３…情報表示装置、４…情報表示装置、１１…メイン表示部、１２…メイン画像記憶部、１３…サブ表示部、１４…サブ画像記憶部、１５…電力供給部、１６…状態検出部、１７…制御部、４１…記憶部、４２…判断部、１０１…ＣＰＵ、１０２…ＲＯＭ、１０３…ＲＡＭ、１０４…ＶＲＡＭ、１０５…Ｉ／Ｏ、１０６…ＵＩボタン群、１０７…メイン表示体、１０８…メイン表示制御部、１０９…サブ表示体、１１０…サブ表示制御部、１１１…電源オン・オフ回路、１１２…電源制御部、１１３…電池、１１４…バス、１１５…補助記憶装置、２０１…傾きセンサ、３０１…温度センサ、４０１…タイマー
【図１】
2009104036.tif 000003
【図２】
2009104036.tif 000004
【図３】
2009104036.tif 000005
【図４】
2009104036.tif 000006
【図５】
2009104036.tif 000007
【図６】
2009104036.tif 000008
【図７】
2009104036.tif 000009
【図８】
2009104036.tif 000010
【図９】
2009104036.tif 000011
【図１０】
2009104036.tif 000012